(57)【要約】【課題】商品収納ラックを吊り下げ支持するための組立構造を改善して組立時間の短縮を図る。【解決手段】自動販売機の本体キャビネット１に搭載したサーペンタイン式の商品収納ラック３であり、該商品収納ラック３における左右一対のラック側板１０間にまたがってその上縁部に固着したラック側フック金具２０を本体キャビネット１の天井板に固定された本体側フック金具に係合させて商品収納ラック３を吊り下げるようにしたものにおいて、前記ラック側フック金具２０のラック側板１０への取付けをねじレスとするため、前記ラック側フック金具２０の両端から左右に突出し、左右一対のラック側板１０を貫通する係合部材２３を設け、左右一対のラック側板１０から外方に突出した前記係合部材２３をかしめて前記ラック側フック金具２３をラック側板１０に固着する。【選択図】　　　　図１
2004030066.tif 000002
【特許請求の範囲】
【請求項１】
自動販売機の本体キャビネットに搭載したサーペンタイン式の商品収納ラックであり、該商品収納ラックが左右一対のラック側板と、該ラック側板の間に架設して蛇行状の商品収納コラムを画成するレールセグメントおよび商品投入通路を形成するトップトレイとの組立体からなり、前記商品収納ラックにおける左右一対のラック側板間にまたがってその上縁部に固着したラック側フック金具と、本体キャビネットの天井板に固定され、前記ラック側フック金具と係合して商品収納ラックを吊り下げる本体側フック金具とを備えた自動販売機の商品収納ラックにおいて、
前記ラック側フック金具の両端から左右に突出し、左右一対のラック側板を貫通する係合部材を設け、左右一対のラック側板から外方に突出した前記係合部材をかしめて前記ラック側フック金具を左右一対のラック側板に固着すること特徴とする自動販売機の商品収納ラック。
【請求項２】
請求項１記載の商品収納ラックにおいて、ラック側フック金具における係合部材は、前記フック金具をカールして形成したカール部材からなることを特徴とする自動販売機の商品収納ラック。
【請求項３】
請求項１記載の商品収納ラックにおいて、ラック側フック金具の左右端部には、当該フック金具に一体成形されるとともに左右一対のラック側板に面接触するフランジを有すること特徴とする自動販売機の商品収納ラック。
【請求項４】
請求項項３記載の商品収納ラックにおいて、ラック側フック金具に形成した係合部材はフランジを貫通して突出すること特徴とする自動販売機の商品収納ラック。
【請求項５】
請求項項３記載の商品収納ラックにおいて、フランジはラック側板に向けて折り曲げられた舌片を有し、当該舌片はラック側板に穿孔した係止穴に係止されることを特徴とする自動販売機の商品収納ラック。
【請求項６】
請求項項３記載の商品収納ラックにおいて、フランジの上端にはラック側板の上縁に当接するように折り曲げられた庇を有することを特徴とする自動販売機の商品収納ラック。
【発明の詳細な説明】
【０００１】
【発明の属する技術分野】
本発明は、自動販売機に搭載され、例えば缶，瓶，ペットボトル入り飲料商品などの商品を横倒し姿勢で積み重ねて収納するサーペンタイン式の商品収納ラックに関し、詳しくは商品収納ラックの吊り下げ支持構造に係わる。
【０００２】
【従来の技術】
まず、本発明の実施対象となる自動販売機の全体構成を図２に示す。図において、１は断熱筐体として形成され、前面が開口した本体キャビネットであり、該本体キャビネット１の庫内には仕切壁２により左右に並ぶ複数の商品収納室を画成した上で、各商品収納室ごとにサーペンタイン式商品収納ラック３，冷却／加熱ユニット（図示せず），および商品搬出シュータ４を装備している。前記本体キャビネット１の前面にはその前面開口を開閉する片開き式の外扉５が配備され、また、本体ケース１の庫内前面には各商品収納室の開口面を覆って上下に二分割した断熱内扉６，７を備えている。ここで、上部側の断熱内扉６は、商品投入用扉としてサーペンタイン式商品収納ラック３の商品投入口８に対向して本体キャビネット１の上部域を覆った比較的小形の扉であり、他方の断熱内扉７は商品投入用扉６の下方に位置し、本体キャビネット１の下部域を覆っている。なお、図中で５ａは外扉５に設けた商品取出口、７ａは商品搬出シュータ４に連係して下部の断熱内扉７に開口したフラッパ付きの商品搬出口、９は本体キャビネット１の下部機械室内に設置した冷凍機のコンデンシングユニットである。
【０００３】
前記サーペンタイン式商品収納ラック３の構造を図３に示す。図３は、２コラムずつ前後に分割されたラックを連結して４重のコラムを有するラックを示す斜視図である。周知のようにサーペンタイン式商品収納ラック３は、左右一対のラック側板１０、このラック側板１０の間に上下に連接して架設された円弧状のレールセグメント３ａ、このレールセグメント３ａを上下に連接した前列のセグメント列と後列のセグメント列との間に画成された上下方向の蛇行状商品収納通路に連ねてラックの上部側に敷設した商品投入用のトップトレイ１１、商品収納通路の出口側に装備したベンド機構１２およびラック側板１０の間の全幅に対して商品収納通路の左右通路幅を商品の長さサイズに合わせて規制する可動側板１３との組立体としてなる。
【０００４】
一方、本体キャビネット１の庫内に商品収納ラック３を所定の組み込み位置に固定する手段として、特開平９−２８８７６８号公報に記載された支持構造が知られており、その支持構造を図４に示す。
図４において、１４は商品収納ラック３ごとに設けられた取付金具であり、この取付金具１４を介して商品収納ラック３が本体キャビネット１の天井板に吊り下げ支持される。前記取付金具１４は商品収納ラック３における左右のラック側板１０の間にまたがって配置されたラック側フック金具１４ａと、本体キャビネット１の天井板にねじ１６で固定した本体側フック金具１４ｂとの組合せからなり、ラック側フック金具１４ａは、その左右両端からＬ字形に延在したねじ止め座片１４ａ−１の先端を外側へ折り曲げてラック側板１０の壁面に開口した係止穴１０ａに差し込んだ上で、左右のラック側板１０の上縁部にねじ１５により固定するようにしている。そして、商品収納ラック３とともにラック側フック金具１４ａを本体側フック金具１４ｂに引っ掛けた吊り下げ状態で、フック金具１４ａと１４ｂとの間を締結ねじ１７で結合するようにしている。
【０００５】
【発明が解決しようとする課題】
ところで、サーペンタイン式商品収納ラック３において上下方向の蛇行状商品収納通路を画成する円弧状のレールセグメント３ａは、当該レールセグメント３ａの上端または下端に形成されたカール部にスルーピンを貫通させ、そのスルーピンのラック側板１０から外方に突出した端部をかしめることよって左右一対のラック側板１０に架設するように構成されている。前記スルーピンの代わりにレールセグメント３ａに形成されたカール部を左右に延在させてラック側板１０から外方に突出した端部をかしめる方法も知られている。このように、サーペンタイン式商品収納ラック３の組立において、レールセグメント３ａをラック側板１０に架設する工程ではラック側板１０の側方からのかしめ加工が施される。
【０００６】
一方、前述したラック側フック金具１４ａのラック側板１０への取付けにはねじ１５が用いられ、ラック側板１０の側方から締め付けるように構成されている。したがって、サーペンタイン式商品収納ラック３の組立ラインにおいて、ラック側フック金具１４ａをラック側板１０へ取付ける工程は、レールセグメント３ａをラック側板１０に架設するかしめ加工の工程とは別工程となり、ラック側フック金具１４ａをラック側板１０へ取付けるためのみのためにねじ締め付け工程を設けねばならず組立性が悪いという問題を有する。
【０００７】
そこで、本発明の目的は前述した従来装置の問題を解決し、商品収納ラックの組立性を改善し、組立時間の短縮を図ることができる自動販売機の商品収納ラックを提供することにある。
【０００８】
【課題を解決するための手段】
前述した目的を達成するために本発明は、自動販売機の本体キャビネットに搭載したサーペンタイン式の商品収納ラックであり、該商品収納ラックが左右一対のラック側板と、該ラック側板の間に架設して蛇行状の商品収納コラムを画成するレールセグメントおよび商品投入通路を形成するトップトレイとの組立体からなり、前記商品収納ラックにおける左右一対のラック側板間にまたがってその上縁部に固着したラック側フック金具と、本体キャビネットの天井板に固定され、前記ラック側フック金具と係合して商品収納ラックを吊り下げる本体側フック金具とを備えた自動販売機の商品収納ラックにおいて、前記ラック側フック金具の両端から左右に突出し、左右一対のラック側板を貫通する係合部材を設け、左右一対のラック側板から外方に突出した前記係合部材をかしめて前記ラック側フック金具を左右一対のラック側板に固着することを特徴とする（請求項１）。
【０００９】
かかる構成の商品収納ラックにおいて、ラック側フック金具のラック側板への取付けはラック側板から外方に突出したラック側フック金具の係合部材をかしめ加工により取付けることができるので、ラック側フック金具をラック側板へ取付ける工程を、レールセグメントをラック側板に架設するかしめ加工する工程に組み込み、ラック側フック金具をラック側板へ取付ける組立工程を、レールセグメントをラック側板に架設するかしめ加工する組立工程と同一の工程で行うことが可能となり、したがって、商品収納ラックの組立工程数を削減することができる。
【００１０】
また、本発明によれば、ラック側フック金具における係合部材は、前記フック金具をカールして形成したカール部材とすることができる（請求項２）。この構成によれば、係合部材をラック側フック金具に一体成形することができ、部品点数の削減が可能である。
また、本発明によれば、ラック側フック金具の左右端部に、当該フック金具に一体成形されるとともに左右一対のラック側板に面接触するフランジを設けることができる（請求３）。この構成によれば、フランジをラック側板に面接触させることによりラック側フック金具がラック側板に当接する面積が増加してラック側フック金具とラック側板との密着性が向上する。そして、ラック側フック金具に形成した係合部材がフランジを貫通して突出するよう構成（請求項４）ことにより、係合部材の周囲においてフランジがラック側板と密着することによってより一層安定性が向上する。
【００１１】
さらに、フランジはラック側板に向けて折り曲げられた舌片を有し、舌片はラック側板に穿孔した係止穴と係合するよう構成（請求項５）、フランジの上端にラック側板の上縁に当接するように折り曲げられた庇を形成（請求項６）することにより、ラック側板がラック側フック金具における係合部材を中心に回転するのを阻止する。
【００１２】
【発明の実施の形態】
以下、本発明の実施の形態を図１の実施例で説明する。図１は、ラック側フック金具をラック側板に取付ける状態を示す分解斜視図である。なお、実施例の図中で図２〜図４に示すものと同一のものには同一符号を付している。
図１において、２０は本発明にかかるラック側フック金具を示し、このラック側フック金具２０の一端には鉤形のフック片２１が形成され、他端にはカール部２２が形成されている。前記カール部２２の両端はラック側フック金具２０の左右両端より突出して係合部材２３として形成されており、各係合部材２３の端部には切欠き２３ａが設けられている。また、ラック側フック金具２０の両端には当該ラック側フック金具２０に連結部２０ａで連結されたフランジ２４が形成され、前記ラック側フック金具２０の両端から突出する係合部材２３がフランジ２４に穿孔した丸孔２４ａを貫通している。前記フランジ２４の上端側にはラック側板１０側に折り曲げられた庇２５が設けられるとともに前方端にはラック側板１０側に向けて折り曲げられた舌片２６が設けられている。
【００１３】
前記ラック側フック金具２０は特殊亜鉛鋼板からなる一枚の鋼板からなり、フック片２１，カール部２２（係合部材２３を含む）およびフランジ２４（庇２５，舌片２６を含む）を展開した状態でその外形に沿って打ち抜き、その一端を折り曲げてフック片２１を形成するとともに他端を心棒を挟んで丸め、断面が円形で中空のカール部２２を形成する。カール部２２の成形により係合部材２３が形成された後、桟となる本体部分２０ｂを略直角に折り曲げる。このとき、フランジ２４は係合部材２３と並行する位置にある。次いでフランジ２４を連結部分２０ａから略直角に折り曲げると、フランジ２４の丸孔２４ａが係合部材２３に遊嵌される。この場合、フランジ２４の折り曲げにより丸孔２４ａが係合部材２３に遊嵌されるように丸孔２４ａの位置や大きさ、さらに係合部材２３の大きさや長さが予め定められている。その後、フランジ２４から庇２５および舌片２６を折り曲げる。なお、庇２５および舌片２６の折り曲げは、フランジ２４を連結部分２０ａから直角に折り曲げる以前に行うこともできる。
【００１４】
一方、ラック側板１０には、前記ラック側フック金具２０の係合部材２３が貫通する係合孔１０ｂとフランジ２４の舌片２６が挿通される係止穴１０ａが穿孔されている。また、ラック側板１０には上下方向の蛇行状商品収納通路を画成する円弧状のレールセグメント３ａを架設するための係合孔１０ｃが穿孔されている。この実施例において、レールセグメント３ａは上下端にカール部が形成され、カール部の左右両端をレールセグメント３ａから突出させて係合孔１０ｃに挿入されるように構成されている。
【００１５】
次に、ラック側フック金具２０のラック側板１０への取付けについて説明すると、まず、一対のラック側板１０の一方を水平な治具台上に載置する。この場合、治具台にはラック側板１０の係合孔１０ｂ，１０ｃに対応する箇所にピンが植設されており、該ピンに係合孔１０ｂ，１０ｃが嵌り込むようにラック側板１０は載置される。そして、ラック側フック金具２０のカール部２２およびレールセグメント３ａのカール部を治具台に植設されたピンに嵌めこみ、ラック側フック金具２０の一方の係合部材２３をラック側板１０の係合孔１０ｂに、レールセグメント３ａのカール部を係合孔１０ｃに差し込んで位置決めする。この時、ラック側フック金具２０のフランジ２４に形成された舌片２６はラック側板１０の係止穴１０ａに係合するように嵌め込まれる。
【００１６】
次いで、位置決めされたラック側フック金具２０およびレールセグメント３ａの上から他方のラック側板１０を被せる。これにより、他方のラック側板１０の外側にラック側フック金具２０の他方の係合部材２３およびレールセグメント３ａのカール部が突出した状態（フランジ２４に形成された舌片２６はラック側板１０の係止穴１０ａに嵌め込む）となり、ラック側板１０から突出したラック側フック金具２０の係合部材２３およびレールセグメント３ａのカール部にかしめ加工を施す。この場合、かしめ治具の先端側にはテーパが付けられており、当該かしめ治具を連結部材２３（レールセグメント３ａのカール部）の中空部に押し込むように押圧することにより、係合部材２３はその端部に形成された切欠き２３ａに沿って押し開かれ、これによりラック側フック金具２０およびレールセグメント３ａと他方のラック側板１０とが固着される。この後、下側のラック側板１０持って治具台に植設されたピンから引き抜き、かしめ加工された側が下になるように反転させて一方のラック側板から突出したラック側フック金具２０の係合部材２３およびレールセグメント３ａのカール部にかしめ加工を施す。
【００１７】
前述のようにして組立られた商品収納ラックにおいては、フランジ２４がラック側板１０に面接触してラック側板１０に密着することにより、ラック側板１０がぶれることがなく堅牢な固着状態を得ることができる。また、フランジ２４の舌片２６がラック側板１０の係止穴１０ａに係止され、かつ、フランジ２４の庇２５がラック側板１０の上縁に当接することにより、ラック側板１０が係合部材２３を軸として回転しようとするのを阻止することができる。すなわち、フランジ２４の庇２５および舌片２６はラック側板１０の回り止めとして機能する。そして、ラック側フック金具２０が取付けられた商品収納ラックは、図４に示した従来装置と同様に本体キャビネット１の天井板に固着された本体側フック金具１３ｂにラック側フック金具２０のフック片２１を係合させることにより本体キャビネット１に吊り下げ支持される。
【００１８】
なお、前述した実施例においては、ラック側フック金具２０の係合部材２３はラック側フック金具２０に一体成形したものについて説明したが、係合部材２３をラック側フック金具２０とは別部材のものとすることができる。例えば、図１に示す係合部材２３を除去してカール部２２のみとし、当該カール部２２を貫通するスルーピンを左右一対のラック側板１０に架設するとともにスルーピンの両端にかしめ加工を施し、これによりラック側フック金具２０をラック側板１０に取付けるようにすることもできる。
【００１９】
【発明の効果】
以上述べたように本発明によれば、自動販売機の本体キャビネットに搭載したサーペンタイン式の商品収納ラックであり、該商品収納ラックが左右一対のラック側板と、該ラック側板の間に架設して蛇行状の商品収納コラムを画成するレールセグメントおよび商品投入通路を形成するトップトレイとの組立体からなり、前記商品収納ラックにおける左右一対のラック側板間にまたがってその上縁部に固着したラック側フック金具と、本体キャビネットの天井板に固定され、前記ラック側フック金具と係合して商品収納ラックを吊り下げる本体側フック金具とを備えた自動販売機の商品収納ラックにおいて、前記ラック側フック金具の両端から左右に突出し、左右一対のラック側板を貫通する係合部材を設け、左右一対のラック側板から外方に突出した前記係合部材をかしめて前記ラック側フック金具を左右一対のラック側板に固着するよう構成したことにより、ラック側フック金具を左右一対のラック側板に固着するために手間のかかるねじを使用する必要がなく、また、ラック側フック金具のラック側板への取付けを、組立ラインにおけるラック側板にレールセグメントを取付ける工程と同一工程において行うことができるので、商品収納ラックの組立工程数を削減して組立時間の短縮を図ることができる。
【図面の簡単な説明】
【図１】本発明の実施例による商品収納ラックの主要部であるラック側フック金具をラック側板に取付ける状態を示す分解斜視図
【図２】本発明の実施対象となる自動販売機の全体の外観図
【図３】図２に示す商品収納ラックの斜視図
【図４】従来のラック側フック金具をラック側板に取付ける状態を示す分解斜視図
【符号の説明】
１　　本体キャビネット
３　　商品収納ラック
３ａ　レールセグメント
１０　ラック側板
１１　トップトレイ
１３ｂ　本体側フック金具
２０　　ラック側フック金具
２１　フック片
２２　カール部
２３　係合部材
２４　フランジ
２５　庇
２６　舌片
【図１】
2004030066.tif 000003
【図２】
2004030066.tif 000004
【図３】
2004030066.tif 000005
【図４】
2004030066.tif 000006